(57)【要約】      （修正有）【課題】内蔵ストロボにおいて小型で縦位置撮影時にも撮影者の任意のバウンス撮影が可能な撮像装置を提供する。【解決手段】突出位置と収納位置との間で移動可能で、第一のヒンジ部を有するベース部１０と第一のヒンジ部と直交する第二のヒンジ部と回動可能な発光部１１を有するストロボユニットと、突出位置に付勢する第一の付勢部材と、発光部１１の第一の被係合部と係合可能な第一の係合爪６ａ、ベース部１０の第二の被係合部１０ｃと係合可能な第二の係合爪６ｂが形成され、回動可能な係合部材６と、ストロボユニットが収納位置にあるときに、係合部材６を付勢する第二の付勢部材３０とを有し、発光部１１を第二のヒンジ部を中心に回動させ、突出位置から収納位置に移動させる際に、第二の係合爪６ｂが第二の被係合部１０ｃに係合され、ストロボユニットが保持される位置が、突出位置と収納位置の間であることを特徴とする。【選択図】図７（ｅ）
2016128847.tif 000002
【特許請求の範囲】
【請求項１】
撮像装置本体（１）から突出した突出位置と前記撮像装置本体（１）に収納される収納位置との間で移動可能で、
第一のヒンジ部（５）を有するベース部（１０）と
前記第一のヒンジ部（５）と直交する第二のヒンジ部（１２）と
前記ベース部（１０）に対し回動可能な発光部（１１）を有する
ストロボユニット（４）と、
前記ストロボユニット（４）を前記突出位置の方向に付勢する第一の付勢部材（２５）と、
前記発光部（１１）に形成される第一の被係合部（１１ｂ）と係合可能な第一の係合爪（６ａ）が形成されるとともに、
前記ベース部（１０）に形成される第二の被係合部（１０ｃ）と係合可能な第二の係合爪（６ｂ）が形成され、
前記撮像装置本体（１）に対して回動可能に支持される係合部材（６）と、
前記ストロボユニット（４）が前記収納位置にあるときに、前記第一の係合爪（６ａ）と前記第一の被係合部（１１ｂ）とが係合する方向に前記係合部材（６）を付勢する第二の付勢部材（３０）とを有し、
前記発光部（１１）を前記第二のヒンジ部（１２）を中心に１８０°回動させ、
前記ストロボユニット（４）を前記突出位置から前記収納位置に向かって移動させる際に、
前記第二の係合爪（６ｂ）が前記第二の被係合部（１０ｃ）に係合され、
前記ストロボユニット（４）が保持される位置が、
前記突出位置と前記収納位置の間であることを特徴とする撮像装置。
【請求項２】
前記発光部（１１）が前記第二のヒンジ部（１２）を中心に回動していないときに、
前記ストロボユニット（４）を前記突出位置から前記収納位置に向かって移動させる際に、
前記第二の係合爪（６ｂ）は、前記第二の被係合部（１０ｃ）に係合せずに、
前記第一の係合爪（６ａ）が、前記第一の被係合部（１１ｂ）に係合することを特徴とする請求項１に記載の撮像装置。
【請求項３】
前記係止部材（６）は、前記第二の被係合部（１０ｃ）と係合可能な係合爪を少なくとも二つ（６０ｂ、６０ｃ）有することを特徴とする請求項１又は請求項２に記載の撮像装置。
【発明の詳細な説明】
【技術分野】
【０００１】
本発明は、内蔵ストロボにおけるバウンス撮影に関し、特に小型で縦位置撮影時にもバウンス撮影が可能なストロボ機構に関する。
【背景技術】
【０００２】
従来、ストロボからの直接光による撮影の場合、不自然な明るさの画像が撮影されてしまう撮影シーンがあり、その対策として天井や壁などにストロボ光を反射させて撮影を行うバウンスという技法が用いられている。外部接続のストロボの多くは、上記バウンス撮影に対応しストロボ発光方向を任意で変更できる機構が盛り込まれている。
【０００３】
内蔵ストロボにおいても特許文献１に示すように、ストロボ発光部を発光管に平行なヒンジ軸によって回転可能とし、発光方向を変更することでバウンス撮影に対応している。
【０００４】
また、特許文献２に示すように、ストロボ発光部の前方に異形レンズを配置し、ストロボの光を屈折および反射させることで、発光方向を変更する技術も紹介されている。
【先行技術文献】
【特許文献】
【０００５】
【特許文献１】特開２００６‐７８５０６号公報
【特許文献２】特開平１１−２７１８５１号公報
【発明の概要】
【発明が解決しようとする課題】
【０００６】
しかしながら、特許文献１及び２に示す技術では、縦位置による撮影時に、撮影者の側面側に対するバウンス撮影にしか対応できず、撮影の自由度を損ねることとなる。また、特許文献１においては複雑な構成となっており部品点数増加及び機器の大型化を招く。特許文献２においては反射および屈折を可能とするレンズを配置している。よって、小型化が難しく、内蔵ストロボにおいて有効なバウンス技術とは言えない。
【０００７】
本発明は、上記の事情に鑑みて成されたものであり、内蔵ストロボにおいて小型で縦位置撮影時にも撮影者の任意のバウンス撮影が可能な撮像装置を提供することを目的とする。
【課題を解決するための手段】
【０００８】
上記の目的を達成するために、本発明の撮像装置は、
撮像装置本体（１）から突出した突出位置と前記撮像装置本体（１）に収納される収納位置との間で移動可能で、
第一のヒンジ部（５）を有するベース部（１０）と
前記第一のヒンジ部（５）と直交する第二のヒンジ部（１２）と
前記ベース部（１０）に対し回動可能な発光部（１１）を有する
ストロボユニット（４）と、
前記ストロボユニット（４）を前記突出位置の方向に付勢する第一の付勢部材（２５）と、
前記発光部（１１）に形成される第一の被係合部（１１ｂ）と係合可能な第一の係合爪（６ａ）が形成されるとともに、
前記ベース部（１０）に形成される第二の被係合部（１０ｃ）と係合可能な第二の係合爪（６ｂ）が形成され、
前記撮像装置本体（１）に対して回動可能に支持される係合部材（６）と、
前記ストロボユニット（４）が前記収納位置にあるときに、前記第一の係合爪（６ａ）と前記第一の被係合部（１１ｂ）とが係合する方向に前記係合部材（６）を付勢する第二の付勢部材（３０）とを有し、
前記発光部（１１）を前記第二のヒンジ部（１２）を中心に１８０°回動させ、
前記ストロボユニット（４）を前記突出位置から前記収納位置に向かって移動させる際に、
前記第二の係合爪（６ｂ）が前記第二の被係合部（１０ｃ）に係合され、
前記ストロボユニット（４）が保持される位置が、
前記突出位置と前記収納位置の間であること
を特徴とする。
【発明の効果】
【０００９】
本発明によれば、簡単な構成で、ストロボバウンス撮影に適したバウンス発光角度に調整することが可能な撮像装置の提供を実現できる。
【図面の簡単な説明】
【００１０】
【図１（ａ）】本実施形態に係る撮像装置の外観正面斜視図
【図１（ｂ）】ストロボ撮影時の本実施の形態に係る撮像装置の外観正面斜視図
【図２（ａ）】本実施形態に係るストロボユニットの外観斜視図
【図２（ｂ）】図２（ａ）のＡ−Ａ断面図
【図２（ｃ）】図２（ａ）のＢ−Ｂ断面図
【図２（ｄ）】バウンス図２（ａ）のＢ−Ｂ断面図
【図３】本実施形態に係る撮像装置の主要な電気的構成を示すブロック図
【図４】本実施形態に係る撮像装置に関する、ストロボ発光方法に関するフローチャート
【図５】本実施形態に係る撮像装置の上面図
【図６（ａ）】本実施形態に係る要部分解斜視図
【図６（ｂ）】本実施形態に係る要部分解斜視図
【図７（ａ）】図５のＣ−Ｃ断面図であって、本実施形態に係るストロボユニット収納状態説明図
【図７（ｂ）】図５のＣ−Ｃ断面図であって、本実施形態に係る係止解除機構の説明図
【図７（ｃ）】図５のＣ−Ｃ断面図であって、本実施形態に係るストロボユニットの通常発光位置説明図
【図７（ｄ）】図５のＣ−Ｃ断面図であって、本実施形態に係る発光部の回転状態説明図
【図７（ｅ）】図５のＣ−Ｃ断面図であって、本実施形態に係るバウンス撮影状態説明図
【図７（ｆ）】図５のＣ−Ｃ断面図であって、本実施形態に係るストロボユニットの収納途中状態説明図
【図８】本実施形態に係るストロボユニットがバウンス状態から収納させた状態を示す斜視図
【図９】本実施形態に係る複数のフックを持つ係止部材の詳細説明断面図
【図１０】本実施形態に係るストロボユニットの第一のヒンジ部と第二のヒンジ部が平行な側面図
【発明を実施するための形態】
【００１１】
以下、本発明を実施するための形態を図面に基づいて説明する。
【実施例１】
【００１２】
図１〜図４を用いて、本実施の形態に係る撮像装置の構成について説明する。なお、図中で共通する部分には同一の符号を付す。
【００１３】
まず、図１を参照して本実施の形態に係る撮像装置の本体構成について説明する。図１（ａ）は撮像装置の外観正面斜視図、図１（ｂ）はストロボ撮影時の本実施の形態に係る撮像装置の外観正面斜視図を表す。図１（ａ）、図１（ｂ）において、１は撮像装置本体、２は撮影レンズ、２ａは撮影光軸、３はグリップ部、４はストロボユニット、５は第一のヒンジ部、６は係止部材、７はストロボＳＷ、８は引掛け部を示す。
【００１４】
撮像装置本体１の内部には撮像部２１が配置されており、撮影レンズ２を通過した光は撮像部２１に投影され、画像として出力される。撮像部２１に関しては後に説明する。グリップ部３は撮影者が撮影時に撮像装置本体１を保持する部位である。
【００１５】
ストロボユニット４は撮影光軸２ａと略交差する方向に回転軸を持つ第一のヒンジ部５によって撮像装置本体１と接続されており、ストロボ撮影を行わない場合は係止部材６がストロボユニット４の外形に成形された引掛け部８に引っかかることで図１（ａ）のようにストロボダウン状態で係止されている。ストロボＳＷ７は、係止部材６をストロボユニット４の引掛け部８から外れる方向に可動させ、ストロボユニット４は係止部材６が外れることで第一のヒンジ部５に配置されたバネ（不図示）により図１（ｂ）のようにストロボアップ状態に可動する。
【００１６】
次に、図２を参照して、ストロボユニット４の詳細な構成について説明する。図２（ａ）はストロボユニットの外観斜視図、図２（ｂ）は図２（ａ）のＡ−Ａ断面図、図２（ｃ）は図２（ａ）のＢ−Ｂ断面図、図２（ｄ）は発光部１１を１８０度回転させ、バウンス撮影状態にした時の図２（ａ）のＢ−Ｂ断面図である。発光部１１に関しては次に説明する。
【００１７】
図２（ａ）、図２（ｂ）、図２（ｃ）、図２（ｄ）において、１０はベース部、１０ａはベース部１０の内面、１０ｂはベース部１０の穴形状、１１は発光部、１１ａは発光部１１の当接面、１２は第二のヒンジ部、１３は発光管、１４は反射部材、１５は透過部材、１６はラチェット軸、１６ａはラチェット軸１６の略筒形状、１６ｂはラチェット軸１６の突起形状、１６ｃはラチェット軸１６の板形状、１７は引っ張りバネ、１８はラチェット歯、１８ａはラチェット歯１８の溝部を示す。
【００１８】
ベース部１０は第一のヒンジ部５を備え、ストロボユニット４を支持する。またベース部１０と発光部１１の間には、第一のヒンジ部５の回転軸に略直交する方向に回転軸を持った第二のヒンジ部１２が配置されており、発光部１１を支持し、ベース部１０に対して発光部１１を回転可能にする。また、第二のヒンジ部１２には回転角度を検知する回転角度検知部２３を備える。回転角度検知部２３に関しては後に説明する。
【００１９】
発光部１１は内部に発光管１３、反射部材１４、透過部材１５を備え、電力供給により発光した発光管１３の光は反射部材１４によって透過部材１５の方向に集光され、透過部材１５を透過して撮像装置本体１の外空間に放出される。第一のヒンジ部５および第二のヒンジ部１２は略筒形状をしており、前記撮像装置本体１の内部から電力供給のために配線されるケーブルがベース部１０内を這いまわされ、発光管１３へと接続されるための経路となる。
【００２０】
ベース部１０内部にはラチェット軸１６、引っ張りバネ１７、ラチェット歯１８が配置され、ラチェット機構を備えている。ラチェット軸１６は一方の端部にラチェット歯１８を取り囲むように略筒形状１６ａを備えており、略筒形状１６ａの内面側にはラチェット歯１８の溝部１８ａに勘合するよう形成された突起形状１６ｂを有する。ラチェット歯１８は第一のヒンジ部５の撮像装置本体１側の軸に形成され、なおかつストロボユニット４内のラチェット機構が配置されている側のみに形成されている。
【００２１】
ラチェット軸１６の他方の端部には引っ張りバネ１７と接触する面を有する板形状１６ｃと略球形状１６ｄを有する。引っ張りバネ１７は一方の端面をラチェット軸１６の板形状１６ｃに固定され、他方の端面をベース部１０の内面１０ａに固定されている。ベース部１０の引っ張りバネ１７と接触する面の壁には、ラチェット軸１６の略球形状１６ｄが通過することができる穴形状１０ｂを有する。
【００２２】
発光部１１が図２（ｃ）のように通常撮影状態の場合、ラチェット軸１６の略球形状１６ｄは発光部１１の当接面１１ａに当接し、ベース部１０内に押し込まれた状態になる。この際引っ張りバネ１７は引っ張り方向に延ばされるとともに、ラチェット軸１６の突起形状１６ｂはラチェット歯１８に接触しない位置に移動する。よって、ラチェット歯１８は自由可動可能となり、前記係止部材６が前記引掛け部８から外れる可動をした際にバネ力によってストロボアップ状態までラチェット機構が作動することなく回転可能となる。
【００２３】
発光部１１が図２（ｄ）のように、第二のヒンジ部の軸を中心に通常撮影状態から１８０度回転したバウンス状態の場合、ラチェット軸１６の略球形状１６ｄは発光部１１の当接面１１ａから解放され、引っ張りバネ１７の収縮によりラチェット軸１６の突起形状１６ｂがラチェット歯１８の溝部１８ａに勘合する。よって、前記第一のヒンジ部５の軸中心の回転可動時にラチェット機構を有する可動を行うことができる。上記ラチェット機構は本実施形態の一例であり、これに限定するものではない。
【００２４】
上記構成により、撮影者は発光部１１を回転させることでバウンス撮影が可能となる。また、前記ラチェット機構により第一のヒンジ部５のストロボアップ角度を調整し、第二のヒンジ部１２の回転角度を任意の角度に調整することで、縦位置撮影時にも撮影者の任意の方向へのバウンス撮影が可能となる。
【００２５】
次に図３を参照して、撮像装置内部の構成について説明する。図３は本実施の形態に係る撮像装置の主要な電気的構成を示すブロック図である。図３において、２０は制御部、２１は撮像部、２２はレンズ通信部、２３は回転角検知部、２４はＳＴＵＰ検知部を示す。
【００２６】
撮像装置本体１に内蔵されたマイクロコンピュータからなる制御部２０は、カメラの動作制御および記憶を司るものであり、各要素からの情報の処理や各要素に対する指示および各情報の記憶を行う。また制御部２０には、撮像部２１、レンズ通信部２２、回転角検知部２３、ＳＴＵＰ検知部２４、発光管１３が電気的に接続されている。制御部２０は、レンズ通信部２２を介して撮影レンズ２と通信を行う。
【００２７】
撮像部２１は、被写体像を光電変換する撮像素子を有し、本実施の形態ではＣＭＯＳセンサが用いられるが、その他にもＣＣＤ型、ＣＭＯＳ型及びＣＩＤ型等様々な形態があり、いずれの形態の撮像デバイスを採用してもよい。
【００２８】
制御部２０は前記発光部１１が回転した場合、回転角検知部２３に前記第二のヒンジ部１２の回転角を検知させ、記憶する（本実施形態において、発光部の位置が通常撮影状態での時場合を回転角０°とする）。また、制御部２０はＳＴＵＰ検知部２４にストロボユニット４がポップアップ状態かどうかの検知をさせる。制御部２０は回転角検知部２３の回転角情報および、ＳＴＵＰ検知部２４のＳＴＵＰ情報に基づき、発光管１３の発光を許可または禁止する。
【００２９】
次に図４は、本実施形態に係る撮像装置に関する、ストロボ発光方法に関するフローチャートである。なお、上記と同記号の説明は割愛する。
【００３０】
図１、図２、図３、図４を参照して、ストロボ発光制御方法に関して説明する。制御部２０は、Ｓ１０１において回転検知部２３に発光部１１の回転角度を検知させる。回転角度が０°の場合、制御部２０はＳ１０２においてＳＴＵＰ検知部２４にストロボユニット４がポップアップ状態かどうかの検知をさせ、ポップアップ状態でなかった場合、Ｓ１０３にて発光管１３への発光禁止を行う。Ｓ１０１にて回転角度が０°以外の角度、もしくはＳ１０２にてポップアップ状態であった場合、制御部２０はＳ１０４にて発光管１３へ発光許可を行う。
【実施例２】
【００３１】
上記実施例１においては、第一のヒンジ部５に形成されたラチェット歯１８とラチェット軸１６を組み合わせたラチェット機構によって、ストロボアップ角度を調整する例を説明した。実施例２では、図１（ｂ）に示す係止部材６と引掛け部８によってストロボアップ角度を調整する機構について図５〜８を用いて説明する。引掛け部８は、本実施例においては、被係合部１０ｃ、被係合部１１ｂであり、詳細は後述する。なお、図中で実施例１と共通する部分には同一の符号を記し、説明は省略する。
【００３２】
図５は撮像装置本体１の上面図、図６は本実施例における主要構成部品の分解斜視図、図７は図５のＣ−Ｃ断面図である。Ｃ−Ｃ断面は、係止部材６の左右中央の断面である。図７（ａ）はストロボユニット４が撮像装置本体１に収納された状態、図７（ｂ）はストロボユニット４の緊定が解除され、第一のヒンジ部５を中心に撮像装置本体１の背面側へ回動を始めた状態である。続いて、図７（ｃ）はストロボユニット４の回動が完了し、ストロボ撮影が可能な状態、図７（ｄ）は第二のヒンジ部１２を中心に発光部１１が１８０°回転した状態である。また、図７（ｅ）は図７（ｄ）からストロボユニット４を収納方向に回動させ、係止部材６がベース部１０に係合した状態を示す。図７（ｆ）は図７（ｃ）の状態から、発光部１１を回転させずに、ストロボユニット４を収納方向に回動させたときの、係止部材６とベース部１０および発光部１１の関係を示す図である。図８は図７（ｅ）の状態からさらに、ストロボユニット４を収納位置に回動させた状態を示す斜視図である。
【００３３】
次に、本実施例におけるストロボユニット４の動作について図６〜８を用いて説明する。図７（ａ）に示すように係止部材６は、２つの係合爪を備えており、撮像装置本体１の前面側（被写体側）を第一の係合爪（以下、第一のフックと呼ぶ）６ａ、背面側（撮影者側）を第二の係合爪（以下、第二のフックと呼ぶ）６ｂとする。係止部材６は、第二の付勢部材３０（以下、第二のバネと呼ぶ）によって撮像装置本体１の前面側（図中矢印の方向）に常に付勢されており、第一のフック６ａが発光部１１の被係合部１１ｂに係合することによって、ストロボユニット４は撮像装置本体１に収納されている。このとき、係止部材６の係止レバー６ｃは、撮像装置本体に設けられたストッパー３１に当接していない。
【００３４】
図１に示すストロボＳＷ７が操作されると、不図示のモーターの駆動力がギア等を介して係止部材６に伝達され、第二のバネ３０の付勢力に抗して第一のフック６ａが被係合部１１ｂから退避する。なお、第一のフック６ａを係止部１１ｂから退避させる機構は、モーターによる駆動力に限定されず、ソレノイドアクチュエータや手動によるものでも良い。
【００３５】
第一のフック６ａが被係合部１１ｂから退避することで、図６に示す第一の付勢部材２５（以下、第一のバネと呼ぶ）の付勢力によりストロボユニット４が通常発光位置に向けて回動を開始する（図７（ｂ））。第一のバネ２５は、ねじ２６に巻き付いた状態で撮像装置本体１に取り付けられ、端部２５ａがベース部１０のフック部１０ｕに係合されており、第一のバネ２５の他端（固定端）が撮像装置本体１に当接することで、ストロボユニット４に発光位置に向けた回動力を与える。
【００３６】
ベース部１０が、撮像装置本体１に設けられた不図示のストッパーに当接すると、ストロボユニット４の回動が完了し、通常発光位置にて停止する（図７（ｃ）参照）。図６に記載のＳＴＵＰ検知ＳＷ２４は昇降式のスイッチであり、ストロボユニット４が通常発光位置にあるときにＯＮ、収納位置にあるときにＯＦＦを検知する。
【００３７】
ストロボユニット４には、通常発光位置に位置している場合にも、依然として第一のバネ２５の付勢力が与えられているので、ストボロユニット４は通常発光位置で保持される。一方、係止部材６には、第二のバネ３０による付勢力が与えられているので、係止部材６の係止レバー６ｃが撮像装置本体１に設けられたストッパー３１に当接し、係止部材６は保持される。
【００３８】
続いて、図７（ｃ）に示す通常発光位置において、発光部１１をベース部１０に対して、第二のヒンジ部１２を中心に１８０°回転させると図７（ｄ）に示すように、透過部材１５の発光面が撮像装置本体１の背面側を向く為、バウンス撮影には不適切な発光角度となってしまう。そこで、本実施例では、ストロボユニット４を収納方向に回動させることによって、発光角度を調整する。具体的には、図７（ｅ）に示すように、第二のフック６ｂがベース部１０の被係合部１０ｃに係合されることによって、透過部材１５の発光面を、バウンス撮影に適した、略真上に向けることが可能になる。
【００３９】
図７（ｃ）の通常発光位置から、ストロボユニット４を収納位置に回動させた場合については、図７（ｆ）を用いて説明する。図７（ｆ）は、ストロボユニット４を通常発光位置から収納位置に向かって回動させ、第一のフック６ａが発光部１１に接触し、係止レバー６ｃがストッパー３１から離れ、係止部材６が第二のバネ３０の付勢力に抗して撮像装置本体１の背面側に回動している状態を示す。この状態においては、係止部材６自体が撮像装置本体１の背面側に回動してしまうため、第二のフック６ｂが、ベース部１０の被係合部１０ｃに当接しない。したがって、ストロボユニット４を通常発光位置から収納方向に回動させても、図７（ｅ）および図７（ｆ）に示すような位置で保持されることが無い為、このような位置におけるストロボの誤発光を防止することが出来る。なお、図７（ｆ）の状態からさらに、ストロボユニット４を収納方向に回動させると、第一のフック６ａが、発光部１１の被係合部１１ｂに係合され、図７（ａ）に示す収納状態となる。
【００４０】
図８は、図７（ｅ）の状態から、さらにストロボユニット４を収納方向に回動させた状態を示す図である。図８に示すように、ストロボユニット４を収納位置まで回動させても、係止部材６が発光部１１に接触することはない。
【００４１】
以上、説明したように、本発明の実施例２によれば、簡単な構成で、ストロボバウンス撮影に適したバウンス発光角度に調整することが可能となる。
【実施例３】
【００４２】
上記実施例２においては、透過部材１５の発光面を略真上に向かせる機構について説明した。しかしながら、ストロボバウンス撮影において、被写体との距離によっては、発光面が略真上であることが必ずしも最適とは限らない。よって本実施例３については、複数のバウンス発光角度を選択可能な構成について、図９を用いて説明する。なお、図中で実施例１および実施例２と共通する部分には同一の符号を記し、説明は省略する。
【００４３】
図９に示すように、係止部材６０は、第一のフック６０ａ、第二のフック６０ｂに加え、第三のフック６０ｄを備える。第二のフック６０ｂと同様に、第三のフック６０ｄもベース部１０の被係合部１０ｃに係合することによって、ストロボユニット４の位置を、図９に示す位置に保持する。このような構成とすることで、バウンス発光角度を、第二のフック６０ｂによって略真上、第三のフック６０ｄによって、より被写体側に調節することが可能となる。本実施例においては、２つのバウンス発光角度を選択可能な構成について説明したが、ベース部１０に係合させるフックの数をさらに増やすことで、３つ以上のバウンス発光角度を選択可能になる。また、第二のフック６０ｂの位置、または、被係合部１０ｃの位置を変更することで、撮像装置本体１の背面側寄りにバウンス発光角度を調節できるようにしても良い。
【００４４】
以上、説明したように、本発明の実施例３によれば、簡単な構成で、ストロボバウンス撮影に適したバウンス発光角度を複数から選択することが可能となり、バウンス撮影時の自由度を高めることが出来る。
【００４５】
また、実施例２および実施例３にて説明した、係止部材６によるバウンス発光角度の調整機構は、図１０に示すような、第二のヒンジ部１２が第一のヒンジ部５と平行なストロボ内蔵撮像装置についても適用可能である。
【符号の説明】
【００４６】
１  撮像装置本体、４  ストロボユニット、５  第一のヒンジ部、６  係止部材、
６ａ  第一の係合爪、６ｂ  第二の係合爪、１０  ベース部、
１０ａ  ベース部１０の内面、１０ｂ  ベース部１０の穴形状、
１０ｃ  ベース部１０の被係合部、１１  発光部、１１ａ  発光部１１の当接面、
１１ｂ  発光部１１の被係合部、１２  第二のヒンジ部、２５  第一の付勢部材、
３０  第二の付勢部材
【図１（ａ）】
2016128847.tif 000003
【図１（ｂ）】
2016128847.tif 000004
【図２（ａ）】
2016128847.tif 000005
【図２（ｂ）】
2016128847.tif 000006
【図２（ｃ）】
2016128847.tif 000007
【図２（ｄ）】
2016128847.tif 000008
【図３】
2016128847.tif 000009
【図４】
2016128847.tif 000010
【図５】
2016128847.tif 000011
【図６（ａ）】
2016128847.tif 000012
【図６（ｂ）】
2016128847.tif 000013
【図７（ａ）】
2016128847.tif 000014
【図７（ｂ）】
2016128847.tif 000015
【図７（ｃ）】
2016128847.tif 000016
【図７（ｄ）】
2016128847.tif 000017
【図７（ｅ）】
2016128847.tif 000018
【図７（ｆ）】
2016128847.tif 000019
【図８】
2016128847.tif 000020
【図９】
2016128847.tif 000021
【図１０】
2016128847.tif 000022